(57)【特許請求の範囲】
【請求項１】
開口を有した基板と、
前記基板に揺動可能に支持され、揺動範囲の始端から終端に向けて駆動バネにより付勢され、前記開口を開閉する幕を駆動するための駆動レバーと、
第１方向に回転することにより前記駆動レバーを前記始端に位置付け、その後に第２方向に回転するセット部材と、を備え、
前記第２方向に回転する前記セット部材と前記駆動レバーとが当接して前記駆動バネの付勢力を減殺して前記駆動レバーを前記始端から前記終端に向けて移動させ、
前記幕は、先幕及び後幕を含み、
前記駆動レバーは、前記先幕及び後幕をそれぞれ駆動する先幕駆動レバー及び後幕駆動レバーを含み、
前記後幕駆動レバーは、後幕用電磁石により吸着保持され、
前記第２方向に回転する前記セット部材と前記先幕駆動レバーとが当接して前記駆動バネの付勢力を減殺して前記先幕駆動レバーを前記始端から前記終端に向けて移動させ、
前記セット部材は、互いに異なる第１及び第２モードで前記第２方向に回転可能であり、
前記第１モードでは、前記先幕駆動レバーは前記セット部材と離間した状態で前記始端から終端に移動し、
前記第２モードでは、前記先幕駆動レバーは前記セット部材と当接した状態で前記始端から終端に移動し、
前記後幕用電磁石への通電量は、前記第１モードよりも前記第２モードの方が低く設定されている、フォーカルプレーンシャッタ。
【請求項２】
開口を有した基板と、
前記基板に揺動可能に支持され、揺動範囲の始端から終端に向けて駆動バネにより付勢され、前記開口を開閉する幕を駆動するための駆動レバーと、
第１方向に回転することにより前記駆動レバーを前記始端に位置付け、その後に第２方向に回転するセット部材と、を備え、
前記第２方向に回転する前記セット部材と前記駆動レバーとが当接して前記駆動バネの付勢力を減殺して前記駆動レバーを前記始端から前記終端に向けて移動させ、
前記幕は、先幕及び後幕を含み、
前記駆動レバーは、前記先幕及び後幕をそれぞれ駆動する先幕駆動レバー及び後幕駆動レバーを含み、
前記後幕駆動レバーは、後幕用電磁石により吸着保持され、
前記第２方向に回転する前記セット部材と前記先幕駆動レバーとが当接して前記駆動バネの付勢力を減殺して前記先幕駆動レバーを前記始端から前記終端に向けて移動させ、
前記セット部材は、互いに異なる第１及び第２モードで前記第２方向に回転可能であり、
前記第１モードでは、前記先幕駆動レバーは前記セット部材と離間した状態で前記始端から終端に移動し、
前記第２モードでは、前記先幕駆動レバーは前記セット部材と当接した状態で前記始端から終端に移動し、
前記セット部材の前記第２方向の回転速度は、前記第１モードのときよりも前記第２モードの方が遅い、フォーカルプレーンシャッタ。
【請求項３】
開口を有した基板と、
前記基板に揺動可能に支持され、揺動範囲の始端から終端に向けて駆動バネにより付勢され、前記開口を開閉する幕を駆動するための駆動レバーと、
第１方向に回転することにより前記駆動レバーを前記始端に位置付け、その後に第２方向に回転するセット部材と、を備え、
前記第２方向に回転する前記セット部材と前記駆動レバーとが当接して前記駆動バネの付勢力を減殺して前記駆動レバーを前記始端から前記終端に向けて移動させ、
前記幕は、先幕及び後幕を含み、
前記駆動レバーは、前記先幕及び後幕をそれぞれ駆動する先幕駆動レバー及び後幕駆動レバーを含み、
前記後幕駆動レバーは、後幕用電磁石により吸着保持され、
前記第２方向に回転する前記セット部材と前記先幕駆動レバーとが当接して前記駆動バネの付勢力を減殺して前記先幕駆動レバーを前記始端から前記終端に向けて移動させ、
前記セット部材は、互いに異なる第１及び第２モードで前記第２方向に回転可能であり、
前記第１モードでは、前記先幕駆動レバーは前記セット部材と離間した状態で前記始端から終端に移動し、
前記第２モードでは、前記先幕駆動レバーは前記セット部材と当接した状態で前記始端から終端に移動し、
前記開口部が開いている期間は、前記第１モードよりも前記第２モードの方が長い、フォーカルプレーンシャッタ。
【請求項４】
前記セット部材は、カムを介してモータにより往復動可能に駆動されるレバーと当接し、当該レバーの往復動に応じて前記第１方向、前記第２方向に回転される、請求項１乃至３の何れかのフォーカルプレーンシャッタ。
【請求項５】
請求項１乃至４の何れかのフォーカルプレーンシャッタを備えた光学機器。
【発明の詳細な説明】
【技術分野】
【０００１】
本発明は、フォーカルプレーンシャッタ及び光学機器に関する。
【背景技術】
【０００２】
特許文献１には、フォーカルプレーンシャッタを備えた光学機器が開示されている。フォーカルプレーンシャッタは、開口を有した基板、開口を開閉する幕、基板に回転可能に支持され幕を駆動する駆動レバーを備えている。
【先行技術文献】
【特許文献】
【０００３】
【特許文献１】特開２００９−１２２５５７号公報
【発明の概要】
【発明が解決しようとする課題】
【０００４】
駆動レバーは、駆動バネにより付勢されており、駆動バネの付勢力に従って回転範囲の始端から終端に回転する。駆動レバーは基板に設けられた逃げ孔の端部に衝突することにより、回転範囲の終端で停止する。この際にはフォーカルプレーンシャッタ全体に衝撃が加わる。これにより、駆動レバーやフォーカルプレーンシャッタ全体へ負荷が、フォーカルプレーンシャッタの長期使用における性能の信頼性を低下させる一因となっている。また、フォーカルプレーンシャッタの高速化に伴い、駆動バネの不勢力が大きくなる傾向があるため、上述した衝撃に加え、駆動レバーを所定位置に保持するための電磁石への通電量が大きくなり消費電流が大きくなってしまうという問題がある。
【０００５】
そこで、本発明は、駆動レバーに起因した衝撃が抑制されたフォーカルプレーンシャッタを提供することを目的とする。また、本発明の第２の目的は、上記第１の目的の下、駆動レバー保持用の電磁石への通電量を抑えることにより、消費電流が抑制されたフォーカルプレーンシャッタを提供することを目的とする。
【課題を解決するための手段】
【０００６】
上記目的は、開口を有した基板と、前記基板に揺動可能に支持され、揺動範囲の始端から終端に向けて駆動バネにより付勢され、前記開口を開閉する幕を駆動するための駆動レバーと、第１方向に回転することにより前記駆動レバーを前記始端に位置付け、その後に第２方向に回転するセット部材と、を備え、前記第２方向に回転する前記セット部材と前記駆動レバーとが当接して前記駆動バネの付勢力を減殺して前記駆動レバーを前記始端から前記終端に向けて移動させる、フォーカルプレーンシャッタによって達成できる。これにより、駆動レバーが駆動バネにより始端から終端に回転して終端で停止した際に生じる衝撃を抑制できる。
【０００７】
上記目的は、上記フォーカルプレーンシャッタを備えた光学機器によっても達成できる。
【発明の効果】
【０００８】
本発明によれば、駆動レバーに起因した衝撃が抑制されたフォーカルプレーンシャッタを提供できる。
【図面の簡単な説明】
【０００９】
【図１】図１は、本実施例のフォーカルプレーンシャッタの正面図である。
【図２】図２は、フォーカルプレーンシャッタの動作の説明図である。
【図３】図３は、フォーカルプレーンシャッタの動作の説明図である。
【図４】図４は、フォーカルプレーンシャッタを備えたカメラのブロック図である。
【図５】図５は、セット部材の説明図である。
【図６】図６は、セット部材の動作の説明図である。
【図７】図７は、セット部材の動作の説明図である。
【図８】図８は、セット部材の動作の説明図である。
【図９】図９は、セット部材の動作の説明図である。
【図１０】図１０Ａ、１０Ｂは、セット部材の動作と電磁石への通電状態とを示したタイミングチャートである。
【図１１】図１１Ａ、１１Ｂはレバーの駆動構成の説明図である。
【発明を実施するための形態】
【００１０】
以下、図面を参照して実施例を説明する。
本実施例においては、羽根駆動装置の一例としてフォーカルプレーンシャッタについて説明する。図１は、本実施例のフォーカルプレーンシャッタの正面図である。図１に示すように、フォーカルプレーンシャッタ１は、基板１０、羽根２１ａ〜２４ａ、２１ｂ〜２４ｂ、駆動アーム３１ａ、３２ａ、３１ｂ、３２ｂ、先幕用電磁石（以下、電磁石と称する）７０Ａ、後幕用電磁石（以下、電磁石と称する）７０Ｂ等を有している。基板１０は合成樹脂製であり、矩形状の開口１１を有している。羽根２１ａ〜２４ａ、２１ｂ〜２４ｂは合成樹脂製であり、それぞれ薄く形成されている。また、駆動アーム３１ａ、３２ａ、３１ｂ、３２ｂは金属の薄板である。羽根２１ａ〜２４ａ、２１ｂ〜２４ｂは、開口１１から退避した位置と開口１１の少なくとも一部と重なる位置との間を移動する。
【００１１】
４枚の羽根２１ａ〜２４ａは、先幕２０Ａを構成する。４枚の羽根２１ｂ〜２４ｂは、後幕２０Ｂを構成する。先幕２０Ａ、後幕２０Ｂは、開口１１を開閉する。図１は、先幕２０Ａが重畳状態であり後幕２０Ｂが展開状態の場合を示している。図１の場合には、先幕２０Ａは開口１１から退避し、後幕２０Ｂが開口１１を閉鎖している。
【００１２】
先幕２０Ａは駆動アーム３１ａ、３２ａに連結されている。後幕２０Ｂは、駆動アーム３１ｂ、３２ｂに連結されている。これら駆動アーム３１ａ、３２ａ、３１ｂ、３２ｂは、それぞれ基板１０に揺動自在に支持されている。
【００１３】
基板１０には、駆動アーム３１ａ、３２ｂをそれぞれ駆動するための先幕駆動レバー（以下、駆動レバーと称する）４０Ａ、後幕駆動レバー（以下、駆動レバーと称する）４０Ｂが設けられている。駆動レバー４０Ａ、４０Ｂは、基板１０に所定の範囲を揺動可能に支持されている。詳細には、駆動レバー４０Ａは基板１０に形成された軸を中心にして揺動可能に支持されている。駆動レバー４０Ｂも同様である。駆動レバー４０Ａ、４０Ｂは、それぞれ先幕２０Ａ、後幕２０Ｂを駆動する。駆動レバー４０Ａ、４０Ｂは、合成樹脂製である。
【００１４】
駆動アーム３１ａは、駆動レバー４０Ａに連結されている。駆動アーム３２ｂは、駆動レバー４０Ｂに連結されている。駆動レバー４０Ａが揺動することにより、駆動アーム３１ａが揺動し、これにより先幕２０Ａが移動する。同様に、駆動レバー４０Ｂが揺動することにより、駆動アーム３２ｂが揺動し、これにより後幕２０Ｂが移動する。尚、フォーカルプレーンシャッタ１には、駆動レバー４０Ａ、４０Ｂをそれぞれの揺動範囲の始端にセットするセット部材を備えているが、図１においては省略している。セット部材については後述する。
【００１５】
駆動レバー４０Ａ、４０Ｂは、それぞれ符号は付さないが鉄片を保持している。駆動レバー４０Ａは、鉄片が電磁石７０Ａに当接した位置から、鉄片が電磁石７０Ａから離反した位置の間を揺動可能である。即ち、駆動レバー４０Ａは、鉄片が電磁石７０Ａから離接するように移動可能である。駆動レバー４０Ｂについても同様である。
【００１６】
また、駆動レバー４０Ａは、不図示の駆動バネにより鉄片が電磁石７０Ａから離れる方向に付勢されている。同様に、駆動レバー４０Ｂは、不図示の駆動バネにより鉄片が電磁石７０Ｂから離れる方向に付勢されている。
【００１７】
駆動レバー４０Ａ、４０Ｂには、上述したバネを介して、それぞれラチェット車５０Ａ、５０Ｂが係合している。駆動レバー４０Ａを電磁石７０Ａから離れる方向に付勢する駆動バネの一端は、ラチェット車５０Ａに係合しており、駆動バネの他端は駆動レバー４０Ａに係合している。ラチェット車５０Ａの回転量を調整することにより、駆動バネの付勢力を調整することができる。ラチェット車５０Ｂも、ラチェット車５０Ａと同様の機能を有している。
【００１８】
電磁石７０Ａは、通電されることにより、駆動レバー４０Ａの鉄片を吸着可能となる。同様に、電磁石７０Ｂも通電されることにより、駆動レバー４０Ｂの鉄片を吸着可能となる。
【００１９】
次に、フォーカルプレーンシャッタ１の動作について説明する。図１乃至３は、フォーカルプレーンシャッタ１の動作の説明図である。ここで、図２は、フォーカルプレーンシャッタ１の初期状態を示している。この初期状態においては、不図示のセット部材が初期位置に固定されており、先幕２０Ａは展開して開口１１を閉鎖し、後幕２０Ｂは重畳して開口１１から退避している。この初期状態において、駆動レバー４０Ａ、４０Ｂの鉄片は、それぞれ電磁石７０Ａ、７０Ｂに当接し、これに吸着可能な初期位置にセットされている。
【００２０】
撮影に際して、カメラのレリーズボタンが押されると、電磁石７０Ａ、７０Ｂのコイルが通電され、駆動レバー４０Ａの鉄片は電磁石７０Ａに吸着され、駆動レバー４０Ｂの鉄片は電磁石７０Ｂに吸着される。その後、セット部材は、駆動レバー４０Ａ、４０Ｂから退避する。ここで、駆動レバー４０Ａ、４０Ｂはそれぞれ電磁石７０Ａ、７０Ｂに吸着された状態で保持されている。
【００２１】
その後、電磁石７０Ａのコイルの通電が遮断されると、図３に示すように、駆動レバー４０Ａは駆動バネの付勢力に従って時計方向に回転する。これにより、先幕２０Ａは開口１１から退避して重畳状態となる。また、所定期間電磁石７０Ｂのコイルへの通電が維持され、後幕２０Ｂは開口１１から退避した状態に維持される。これにより、開口１１は開いた状態となる。図３は、露出中の状態を示している。
【００２２】
レリーズボタンが押されてから所定期間経過後に電磁石７０Ｂのコイルへの通電が遮断され、駆動バネの付勢力により駆動レバー４０Ｂが時計方向に回転する。これにより、後幕２０Ｂは展開して開口１１を閉鎖する。駆動レバー４０Ｂは、基板１０に形成された溝の端部に当接する。図１は、露光作動を終了した直後の状態を示している。このようにして１回の撮影が終了する。
【００２３】
次に、不図示のセット部材により駆動レバー４０Ａ、４０Ｂが反時計方向に回転させられる。これにより、先幕２０Ａは展開されて開口１１を閉鎖し、後幕２０Ｂは重畳して開口１１から退避し、図２に示す初期状態に戻る。
【００２４】
次に、駆動レバー４０Ａが電磁石７０Ａに吸着保持される仕組みについて説明する。駆動レバー４０Ａは、鉄片を保持している。駆動レバー４０Ａは、鉄片が電磁石７０Ａに当接した位置から退避した位置の間を揺動可能である。電磁石７０Ａは、鉄芯、鉄芯に巻回され鉄芯を励磁するコイル、を備えている。コイルへの通電状態が切り替えられることより、鉄芯が励磁又は消磁される。駆動レバー４０Ａの鉄片が電磁石７０Ａの鉄芯に当接した状態でコイルへ通電されることにより、鉄片と鉄芯との間には磁気的吸着力が生じる。これにより、駆動レバー４０Ａが電磁石７０Ａに吸着保持される。コイルへの通電が遮断されることにより、磁気的吸着力は消えて、駆動レバー４０Ａを付勢している駆動バネの付勢力に従って駆動レバー４０Ａは電磁石７０Ａから離れる。駆動レバー４０Ｂが電磁石７０Ｂに吸着保持される仕組みについても同様である。
【００２５】
フォーカルプレーンシャッタ１を備えたカメラの構成について説明する。図４は、フォーカルプレーンシャッタ１を備えたカメラのブロック図である。カメラは、フォーカルプレーンシャッタ１、駆動機構１５０、制御部３００、撮像素子４００等を備えている。制御部３００は、カメラ全体の動作を制御し、ＣＰＵ、ＲＯＭ、ＲＡＭ等を備えている。尚、カメラは、図４には図示していないが、焦点距離を調整するためのレンズ等を備えている。
【００２６】
制御部３００は、電磁石７０Ａ、７０Ｂのコイルへの通電状態を制御する。撮像素子４００は、被写体像を電気信号に変換する。撮像素子４００は、例えばＣＣＤやＣＭＯＳである。駆動機構１５０は、制御部３００からの指令に応じてセット部材６０を駆動する。
【００２７】
駆動機構１５０は、セット部材６０を駆動するレバー１００、後述するカムを介してレバー１００を直線上に往復動可能に駆動する正逆回転可能なモータ１２０を備えている。モータ１２０はステッピングモータであり、図示しない輪列を介して後述するカムを回転させる。制御部３００は、モータ１２０の駆動を制御することにより、レバー１００の駆動を制御することができる。これにより、セット部材６０の回転が制御される。制御部３００は、モータ１２０の回転速度を制御することにより、レバー１００の駆動速度を制御することができる。これにより、セット部材６０の回転速度を制御することができる。
【００２８】
セット部材６０について説明する。図５は、セット部材６０の説明図である。図５においては、電磁石７０Ａ、７０Ｂは省略してある。図５は、図１に示した状態でのセット部材６０周辺の構成を示した図である。図５は、セット開始前の状態を示している。
【００２９】
セット部材６０は、円筒部６１、凹部６２、押圧部６６ａ、６６ｂを有している。円筒部６１は、基板１０に設けられた軸に摺動回転可能に嵌合している。これにより、セット部材６０は回転可能に基板１０に支持されている。セット部材６０は、バネ６０１により反時計方向に付勢されている。基板１０に設けられた不図示のストッパにより、セット部材６０の回転範囲が規制されている。図５に示した状態では、セット部材６０はバネ６０１の付勢力によりストッパに当接している。
【００３０】
レバー１００は、所定範囲を直線上に往復動可能に設けられている。レバー１００は、往復動することによりセット部材６０の凹部６２に係合離脱可能である。レバー１００が往復動することにより、レバー１００と凹部６２とが係合してセット部材６０は時計方向又は反時計方向へと回転させる。ここで、時計方向は第１方向に相当し、反時計方向を第２方向に相当する。
【００３１】
図１１Ａ、１１Ｂはレバー１００の駆動構成の説明図である。レバー１００を直線上に往復動可能に駆動する駆動カム１０１は、基板１０に設けられた軸に摺動回転可能に嵌合している。駆動カム１０１は図示しない輪列を介してモータ１２０により駆動される。レバー１００の一端部１００ａは、不図示のバネにより駆動カム１０１の外周部に設けられたカム部１０２に当接するように付勢されている。カム部１０２は、セット部材６０が不図示のストッパにより反時計方向の回転が規制されている図５に示す位置において、レバー１００から退避した状態に位置付ける退避カム部１０２ａと、レバー１００がセット部材６０と当接した状態に位置付ける当接カム部１０２ｂとからなり、退避カム部１０２ａと当接カム部１０２ｂは連結部１０２ｃを介して連続して駆動カム１０１の外周部に形成されている。また、当接カム部１０２ｂは駆動カム１０１が反時計方向へ回転するに従い、セット部材６０方向へのレバー１００の移動量が徐々に大きくなって、セット部材６０の時計方向の回転量が大きくなるように構成されている。図１１Ａは、レバー１００がセット部材６０から退避した状態を、図１１Ｂは、駆動カム１０１が反時計方向へ回転して、レバー１００がセット部材６０を時計方向に回転させて駆動レバー４０Ａが始端に位置付けられた状態を示している。
【００３２】
駆動レバー４０Ａは、円筒部４１ａを有している。円筒部４１ａは、基板１０に設けられた軸に摺動回転可能に嵌合している。これにより、駆動レバー４０Ａは揺動可能に基板１０に支持されている。駆動レバー４０Ａは、駆動ピン４８ａを有している。基板１０には、円弧状の逃げ孔１８ａが形成されている。逃げ孔１８ａは、駆動ピン４８ａの駆動を逃す。駆動レバー４０Ａは、駆動バネ４０Ａ１の付勢力に従って逃げ孔１８ａの他端側へ付勢されている。すなわち、駆動バネ４０Ａ１は駆動レバー４０Ａを時計方向に揺動するように付勢している。逃げ孔１８ａの他端には、バウンド防止用のゴムが設けられている。駆動ピン４８ａには、駆動アーム３１ａが嵌合している。駆動レバー４０Ｂ、円筒部４１ｂ、駆動ピン４８ｂ、逃げ孔１８ｂ、についても同様に構成されている。
【００３３】
図５に示すように、駆動ピン４８ａは逃げ孔１８ａの他端に位置し、駆動ピン４８ｂは逃げ孔１８ｂの他端に位置している。即ち、駆動レバー４０Ａ、４０Ｂは、それぞれ揺動範囲の終端に位置している。
【００３４】
駆動レバー４０Ａ、４０Ｂは、それぞれローラ４６ａ、４６ｂを有している。押圧部６６ａは、駆動レバー４０Ａのローラ４６ａを押圧して駆動レバー４０Ａを始端まで移動させる。同様に、押圧部６６ｂは、駆動レバー４０Ｂのローラ４６ｂを押圧して駆動レバー４０Ｂを始端まで移動させる。
【００３５】
次に、セット部材６０の動作について説明する。セット部材６０の動作は、第１モードと、第２モードとで異なる。第１モードとは、写真を撮影するためのモードである。第２モードとは、動画を撮影するためのモードである。開口１１が開いている期間は、第１モードより第２モードのほうが長い。図６〜９は、セット部材６０の動作の説明図である。図６〜９においては、電磁石７０Ａ、７０Ｂを省略してある。図１０Ａ、１０Ｂは、セット部材６０の動作と電磁石７０Ａ、７０Ｂへの通電状態とを示したタイミングチャートである。図１０Ａは、第１モードでのタイミングチャートであり、図１０Ｂは、第２モードでのタイミングチャートである。
【００３６】
第１モードについて説明する。図１１Ａに示した状態から駆動カム１０１が反時計方向へ回転してレバー１００の一端部１００ａと当接カム部１０２ｂが当接し、レバー１００がセット部材６０と当接することにより、図５に示した状態からセット部材６０を時計方向（第１方向）に回転させる。これにより、押圧部６６ａ、６６ｂはそれぞれローラ４６ａ、４６ｂを押し、駆動レバー４０Ａ、４０Ｂは反時計方向に揺動して、図６に示すように、駆動レバー４０Ａ、４０Ｂはそれぞれ揺動範囲の始端に位置付けられる。駆動レバー４０Ａ、４０Ｂが始端に位置付けられている間に、電磁石７０Ａ、７０Ｂの双方が通電される。これにより、駆動レバー４０Ａ、４０Ｂは、それぞれ電磁石７０Ａ，７０Ｂに吸着保持される。このようにして駆動レバー４０Ａ、４０Ｂのセットが完了する。尚、図１０Ａに示すように、第１モードにおける電磁石７０Ａ、７０Ｂへの消費電流量の合計の値をＡ２とする。
【００３７】
次に、図１１Ｂに示した状態から更に駆動カム１０１が反時計方向へ回転し、レバー１００の一端部１００ａは、連結部１０２ｃを経由して退避カム部１０２ａと当接する。これにより、レバー１００がセット部材６０から退避し、セット部材６０は、バネ６０１の付勢力に従って反時計方向（第２方向）に回転する。これにより、図７に示すように、押圧部６６ａ、６６ｂは、それぞれローラ４６ａ、４６ｂから退避する。
【００３８】
次に、セット部材６０が駆動レバー４０Ａ、４０Ｂから退避してから、所定期間経過後に電磁石７０Ａへの通電が遮断される。これにより、駆動レバー４０Ａは、駆動バネ４０Ａ１の付勢力によって、図８に示すように始端から終端へと移動する。このように、第１モードにおいて、駆動レバー４０Ａはセット部材６０と離間した状態で始端から終端へと移動する。これにより、先幕２０Ａが、開口１１から退避し、開口１１は開いた状態となる。図１０Ａに示すように、電磁石７０Ａへの通電を遮断した後の電磁石７０Ｂへの消費電流量の値をＡ１とする。
【００３９】
電磁石７０Ａの通電が遮断されてから所定期間経過後に、電磁石７０Ｂへの通電が遮断される。これにより、駆動レバー４０Ｂも同様に、駆動レバー４０Ｂを時計方向に揺動するように付勢している駆動バネ４０Ｂ１によって終端へと移動し、後幕２０Ｂは、開口１１を閉鎖する。これにより、フォーカルプレーンシャッタ１は、再び図５に示した状態となる。以上のようにして、写真の撮影が行なわれる。
【００４０】
次に、第２モードについて説明する。
図１１Ａに示した状態から、駆動カム１０１が反時計方向へ回転し、レバー１００が駆動して、図６に示したセット状態へ移行する。セットが完了すると、電磁石７０Ａ、７０Ｂの双方が通電され、駆動レバー４０Ａ、４０Ｂは、始端で吸着保持される。
【００４１】
セット完了後、電磁石７０Ａへの通電が遮断されるのと同時にレバー１００がセット部材６０から退避するように移動する。図１０Ｂに示すように、電磁石７０Ａへの通電を遮断した後の電磁石７０Ｂへの消費電流量の値をＡ１´とする。ここで、第１モードと異なり、第２モードでは図１１Ｂに示した状態から駆動カム１０１が時計方向へ回転してレバー１００がセット部材６０から退避するように移動することにより、セット部材６０はバネ６０１の付勢力に従って反時計方向に回転し始める。
【００４２】
ここで、既に電磁石７０Ａへの通電が遮断されているため、セット部材６０の反時計方向への回転に伴って、駆動レバー４０Ａは駆動バネ４０Ａ１の付勢力に従って時計方向に揺動し始める。図９は、セット部材６０の回転に連動して駆動レバー４０Ａが揺動している状態を示している。図９に示すように、セット部材６０はレバー１００と当接しながら反時計方向に回転し、駆動レバー４０Ａはセット部材６０の押圧部６６ａとローラ４６ａとが当接しながら時計方向に回転する。この状態において、レバー１００の一端部１００ａと当接カム部１０２ｂが当接しており、レバー１００のセット部材６０から退避する方向の直線移動は規制されている。さらに、レバー１００と当接するセット部材６０は反時計方向の回転が規制されている。このため、駆動レバー４０Ａの時計方向の回転速度は、駆動バネ４０Ａ１の付勢力のみによって始端から終端へ移動する第１モードよりも、セット部材６０と当接しながら時計方向に回転する第２モードのほうが遅い。詳細には、制御部３００は、駆動カム１０１を駆動するモータ１２０の回転速度を制御することにより、セット部材６０から退避するレバー１００のスピードを制御し、セット部材６０の反時計方向の回転速度を第１モードよりも第２モードのほうが遅くなるように駆動している。
【００４３】
更に駆動カム１０１が時計方向へ回転することにより、図９に示した状態からレバー１００がセット部材６０から退避する方向に移動してセット部材６０が更に反時計方向に回転すると、駆動レバー４０Ａは揺動範囲の終端へ移動する。セット部材６０が更に反時計方向に回転すると、押圧部６６ａはローラ４６ａから退避して、セット部材６０はバネ６０１の付勢力によりストッパに当接する。この状態から更に駆動カム１０１が時計方向へ回転し、レバー１００の一端部１００ａが退避カム部１０２ａと当接し、レバー１００がセット部材６０から退避する。これにより、開口１１が開いた状態となり、ユーザからの操作指令に応じて電磁石７０Ｂへの通電が遮断され、開口１１が後幕２０Ｂにより閉鎖される。このようにして、動画の撮影が行なわれる。
【００４４】
以上のように、第２モードにおいては、駆動レバー４０Ａはセット部材６０と当接した状態で始端から終端へと移動する。詳細には、セット部材６０が反時計方向に回転している間において、セット部材６０はレバー１００及び駆動レバー４０Ａと当接している。このように、駆動レバー４０Ａは、セット部材及びレバー１００により駆動バネ４０Ａ１の付勢力が減殺された状態で、駆動バネ４０Ａ１の付勢力に従って終端へ移動する。一方、第１モードにおいては、セット部材６０が駆動レバー４０Ａから完全に退避した後に電磁石７０Ａへの通電が遮断されて、駆動レバー４０Ａは駆動バネ４０Ａ１の付勢力に従ってセット部材６０と離間した状態で始端から終端へ移動する。
【００４５】
従って、駆動レバー４０Ａの揺動の速度は、第１モードよりも第２モードの方が遅い。これにより、第２モードにおいては、駆動レバー４０Ａが逃げ孔１８ａの他端に当接して停止した際にフォーカルプレーンシャッタ１全体に生じる衝撃が抑制されている。これにより、駆動レバー４０Ａへの負荷を低減でき、フォーカルプレーンシャッタ１全体への負荷も低減できる。よって、駆動レバー４０Ａが逃げ孔１８ａの他端に当接する際の衝撃による駆動レバー４０Ａや逃げ孔１８ａの他端におけるダメージが抑制され、フォーカルプレーンシャッタ１の長期使用における性能の信頼性を確保できる。
【００４６】
図１０Ａ、１０Ｂに示すように、第２モードでの消費電流値Ａ１´は、第１モードでの電磁石７０Ｂの消費電流値Ａ１よりも低く設定されている。第１モードにおいては、駆動レバー４０Ａは、駆動バネ４０Ａ１の付勢力に従って減速されずに回転する。このため、第１モードにおいては、駆動レバー４０Ａが逃げ孔１８ａの端部に当接して停止した際にフォーカルプレーンシャッタ１には大きな衝撃が加わる。フォーカルプレーンシャッタ１全体にこのような衝撃が加わった場合であっても、駆動レバー４０Ｂが電磁石７０Ｂに吸着保持された状態を維持する必要がある。ここで、駆動レバー４０Ｂに対する電磁石７０Ｂの吸着力は、電磁石７０Ｂへの消費電流量に略比例する。このため、電磁石７０Ｂへの通電量は、駆動レバー４０Ｂを吸着保持するためのみならず、フォーカルプレーンシャッタ１に衝撃が加わった場合にも駆動レバー４０Ｂを吸着保持できるように設定されている。このため、電磁石７０Ｂへの消費電量値Ａ１は大きめに設定されている。
【００４７】
しかしながら、第２モードにおいては、駆動レバー４０Ａが逃げ孔１８ａの端部に当接して停止した際のフォーカルプレーンシャッタ１にかかる衝撃は抑制されている。これにより、駆動レバー４０Ｂを吸着保持するための電磁石７０Ｂの消費電流量値Ａ１´は、消費電流量値Ａ１よりも低く設定できる。このように、第２モードにおいては第１モードの場合よりも、電磁石７０Ｂの消費電力が低減されている。よって、フォーカルプレーンシャッタ１の消費電力が低減されている。
【００４８】
先幕２０Ａの走行速度は、第１モードよりも第２モードの方が遅い。従って、先幕２０Ａの走行速度が要求される第１モードでは駆動レバー４０Ａの速度を優先させ、先幕２０Ａの走行速度が要求されない第２モードではフォーカルプレーンシャッタ１への衝撃の抑制を優先させている。
【００４９】
以上本発明の好ましい実施形態について詳述したが、本発明は係る特定の実施形態に限定されるものではなく、特許請求の範囲に記載された本発明の要旨の範囲内において、変形・変更が可能である。
【００５０】
本実施例のフォーカルプレーンシャッタは、スチールカメラやデジタルカメラなどの光学機器に採用できる。
【００５１】
上記実施例において、第１モードと第２モードとでは、駆動レバー４０Ａを始端に位置付けた後のセット部材６０の反時計方向に回転速度は、異なっていることを記載した。しかしながら、第２モードで、セット部材６０がレバー１００と当接し、駆動レバー４０Ａの始端から終端まで駆動レバー４０Ａに当接しながら回転すればよく、第１モードと第２モードとでセット部材６０の反時計方向の回転速度は同じであってもよい。
【００５２】
上記実施例において、第２モードでは、駆動レバー４０Ａがセット部材６０に当接した状態で始端から終端へ移動する場合を説明したが、駆動レバー４０Ａがセット部材６０に、始端から始端と終端との間の途中位置まで当接しながら終端へ移動してもよく、駆動レバー４０Ａが逃げ孔１８ａの他端に当接して停止した際の衝撃が抑制され、電磁石７０Ｂへの通電量は第１モード時の消費電流量値Ａ１よりも低く設定できる
【００５３】
上記実施例において、第２モードでは、レバー１００によりセットが完了した後、電磁石７０Ａ、７０Ｂの双方を通電して駆動レバー４０Ａ、４０Ｂを始端で吸着保持する場合を説明したが、電磁石７０Ｂのみに消費電流Ａ１´となるように通電して駆動レバー４０Ｂを始端で吸着保持してもよい。
【００５４】
上記実施例において、セット部材６０がレバー１００の往復動により第１方向、第２方向に回転する場合を説明したが、セット部材６０がモータの正逆転駆動により第１方向、第２方向に回転してもよい。
【符号の説明】
【００５５】
１  フォーカルプレーンシャッタ
１０  基板
１１  開口
１８ａ、１８ｂ  逃げ孔
２０Ａ  先幕
２０Ｂ  後幕
２１ａ〜２４ａ、２１ｂ〜２４ｂ  羽根
３１ａ、３２ａ、３１ｂ、３２ｂ  駆動アーム
４０Ａ  先幕駆動レバー
４０Ｂ  後幕駆動レバー
４６ａ、４６ｂ  ローラ
４８ａ、４８ｂ  駆動ピン
６０  セット部材
６２  凹部
６６ａ、６６ｂ  押圧部
１００  レバー
１５０  駆動機構
【図１】
0005484229.tif 000002
【図２】
0005484229.tif 000003
【図３】
0005484229.tif 000004
【図４】
0005484229.tif 000005
【図５】
0005484229.tif 000006
【図６】
0005484229.tif 000007
【図７】
0005484229.tif 000008
【図８】
0005484229.tif 000009
【図９】
0005484229.tif 000010
【図１０】
0005484229.tif 000011
【図１１】
0005484229.tif 000012